(57)【要約】【課題】  スケジュール管理画面で特定の銘柄のニュース、当該銘柄の売買を行う適正なタイミングを知らせ、更に売買の注文を容易に行うことができる有価証券情報配信システムを提供する。【解決手段】  顧客の保有銘柄・登録銘柄について、関連するニュース情報をニュース抽出処理部１３が抽出して抽出ニュース情報ＤＢ１４に記憶し、表示判断処理部１６が顧客別スケジュール表示設定ＤＢ１５を参照して、顧客毎に、顧客のカレンダー画面のカレンダー枠内において抽出したニュース情報の配信日にニュース情報の銘柄名を表示させ、カレンダー枠外に当該ニュース情報の内容を表示させると共に、株価の時価の変動に対して設定された条件に適合すると、条件適合の日に条件適合した銘柄名を表示させてカレンダー枠外に条件適合の内容を表示させる表示画面を画面生成部１８が生成する有価証券情報配信システムである。【選択図】        図２
2008242890.tif 000002
【特許請求の範囲】
【請求項１】
クライアント端末からのアクセスにより有価証券情報を提供する情報提供サーバを備えた有価証券情報配信システムであって、
前記情報提供サーバは、
顧客が保有する保有銘柄、顧客が登録した登録銘柄に関連するニュース情報を記憶する抽出ニュース情報データベースと、
顧客毎に保有銘柄及びその売り買いのタイミングとなる条件内容、登録銘柄及びその買いのタイミングとなる条件内容を記憶する顧客別スケジュール表示設定データベースと、
顧客別にスケジュール表示画面に表示する情報を記憶する顧客別スケジュール表示情報データベースと、
配信されたニュース情報について顧客の保有銘柄、登録銘柄に関連するものを抽出して前記抽出ニュース情報データベースに記憶するニュース抽出手段と、
前記ニュース情報データベースに記憶されたニュース情報について、顧客別スケジュール表示設定データベースの顧客毎に設定された銘柄に関連するニュース情報を顧客別スケジュール表示情報データベースに顧客毎に日付の情報、銘柄の情報と共に記憶し、顧客の保有銘柄、登録銘柄の時価情報の入力を受けると、前記顧客別スケジュール表示設定データベースに設定された条件内容に前記銘柄の時価情報が適合するか否かを判断し、条件内容に適合する場合には、日付の情報、条件内容に適合したことを示す情報、条件内容に適合した銘柄の情報及び売り買いのタイミングを示す情報を前記顧客別スケジュール表示情報データベースに記憶する表示判断手段と、
クライアント端末からカレンダー画面表示の指示が入力されると、指示のあった顧客のスケジュール表示画面において、顧客別スケジュール表示情報データベースにニュース情報が記憶されている場合には、カレンダー枠内の該当する日付に銘柄の情報を表示すると共に、カレンダー枠外に日付の情報、銘柄の情報とニュース情報の内容を一覧表示し、顧客別スケジュール表示情報データベースに日付の情報、条件内容に適合したことを示す情報、条件内容に適合した銘柄の情報及び売り買いのタイミングを示す情報が記憶されている場合には、カレンダー枠内の日付に銘柄の情報及び売り買いのタイミングを示す情報を表示すると共に、カレンダー枠外に日付の情報、銘柄の情報、条件内容に適合したことを示す情報を一覧表示する画面を生成する画面生成手段とを有することを特徴とする有価証券情報配信システム。
【請求項２】
情報提供サーバにおける画面生成手段は、スケジュール表示画面においてカレンダー枠内に表示させる売りのタイミングを示す情報又はそれに対応する銘柄の情報を売りの取引画面にリンクさせ、カレンダー枠内に表示させる買いのタイミングを示す情報又はそれに対応する銘柄の情報を買いの取引画面にリンクさせ、当該売りのタイミングを示す情報又はそれに対応する銘柄の情報が選択されると売りの取引画面に移行させ、当該買いのタイミングを示す情報又はそれに対応する銘柄の情報が選択されると買いの取引画面に移行させることを特徴とする請求項１記載の有価証券情報配信システム。
【請求項３】
情報提供サーバにおける画面生成手段は、スケジュール表示画面においてカレンダー枠内に表示させる売り買いのタイミングを示す情報が付されていない銘柄の情報を当該銘柄の個別株式情報を表示する画面にリンクさせ、前記売り買いのタイミングを示す情報が付されていない銘柄の情報が選択されると当該銘柄の個別株式情報を表示する画面に移行させることを特徴とする請求項１又は２記載の有価証券情報配信システム。
【請求項４】
情報提供サーバにおける表示判断手段は、ニュース情報を顧客別スケジュール表示情報データベースに記憶する際に、ニュース情報を示すマーク情報も記憶し、条件内容に適合したことを示す情報を前記顧客別スケジュール表示情報データベースに記憶する際に、条件の種類を示すマーク情報も記憶し、
画面生成手段は、スケジュール表示画面において銘柄の情報と共に対応するマーク情報も表示する画面を生成することを特徴とする請求項１乃至３のいずれか記載の有価証券情報配信システム。
【請求項５】
顧客別スケジュール表示設定データベースには、条件内容として、売りの仮指値が設定され、
表示判断手段は、顧客の保有銘柄についての時価情報が前記顧客別スケジュール表示設定データベースに設定された売りの仮指値以上となった場合に、当該銘柄の情報、当該銘柄が売りの仮指値以上となったことを示す情報、日付の情報及び売りのタイミングを示す情報を顧客別スケジュール表示情報データベースに記憶することを特徴とする請求項１乃至４のいずれか記載の有価証券情報配信システム。
【請求項６】
顧客別スケジュール表示設定データベースには、条件内容として、買いの仮指値が設定され、
表示判断手段は、顧客の保有銘柄又は登録銘柄についての時価情報が前記顧客別スケジュール表示設定データベースに設定された買いの仮指値以下となった場合に、当該銘柄の情報、当該銘柄が買いの仮指値以下となったことを示す情報、日付の情報及び買いのタイミングを示す情報を顧客別スケジュール表示情報データベースに記憶することを特徴とする請求項１乃至５のいずれか記載の有価証券情報配信システム。
【請求項７】
顧客別スケジュール表示設定データベースには、条件内容として、特定期間におけるマイナス方向の売りの変動率が設定され、
表示判断手段は、顧客の保有銘柄についての時価情報が前記顧客別スケジュール表示設定データベースに設定された特定期間におけるマイナス方向の売りの変動率以上となった場合に、当該銘柄の情報、当該銘柄が売りの変動率以上となったことを示す情報、日付の情報及び売りのタイミングを示す情報を顧客別スケジュール表示情報データベースに記憶することを特徴とする請求項１乃至６のいずれか記載の有価証券情報配信システム。
【請求項８】
顧客別スケジュール表示設定データベースには、条件内容として、特定期間におけるプラス方向の買いの変動率が設定され、
表示判断手段は、顧客の保有銘柄又は登録銘柄についての時価情報が前記顧客別スケジュール表示設定データベースに設定された特定期間におけるプラス方向の買いの変動率以上となった場合に、当該銘柄の情報、当該銘柄が買いの変動率以上となったことを示す情報、日付の情報及び買いのタイミングを示す情報を顧客別スケジュール表示情報データベースに記憶することを特徴とする請求項１乃至７のいずれか記載の有価証券情報配信システム。
【請求項９】
顧客別スケジュール表示設定データベースには、条件内容として、テクニカル指標が設定され、
表示判断手段は、顧客の保有銘柄又は登録銘柄についての前記顧客別スケジュール表示設定データベースに設定されたテクニカル指標に基づいて、当該テクニカル指標に適合した銘柄の情報、当該テクニカル指標に適合したことを示す情報、日付の情報及び売り買いのタイミングを示す情報を前記顧客別スケジュール表示情報データベースに記憶することを特徴とする請求項１乃至８のいずれか記載の有価証券情報配信システム。
【請求項１０】
表示判断手段は、ニュース情報が企業のＩＲ情報における配当日、決算発表日の予定を知らせるものであるとき、当該予定の日を日付の情報として顧客別スケジュール表示情報データベースに記憶することを特徴とする請求項１乃至９のいずれか記載の有価証券情報配信システム。
【請求項１１】
画面生成手段が生成するカレンダー画面は、証券取引のサイトにユーザがログインした後に株式情報を表示させる画面で、一つのタブとして表示されるものであることを特徴とする請求項１乃至１０のいずれか記載の有価証券情報配信システム。
【発明の詳細な説明】
【技術分野】
【０００１】
本発明は、有価証券情報を配信するシステムに係り、特に、スケジュール管理画面で保有銘柄、関心がある銘柄（登録銘柄）の証券情報を得ることができると共に、当該銘柄の取引を容易にできる有価証券情報配信システムに関する。
【背景技術】
【０００２】
インターネットの発達により投資家は有価証券情報に容易にアクセス可能となった。
具体的には、証券会社が運営するウェブ（Ｗｅｂ）サイトで特定銘柄の値動き、当該銘柄に関するニュース等が閲覧可能となり、更に、それら銘柄の売買の注文をＷｅｂサイトで行うことができるようになっている。
【０００３】
尚、先行技術として、特開２００２−１０９２３５号公報（特許文献１）には、インターネットを経由して受信した証券データ、ニュースを表示スケジュールに従って循環させて表示する情報表示システムが記載されている。
【０００４】
また、スケジュール又はカレンダーに関連してニュース等を表示する先行技術として、特開２００１−２８２７５０号公報（特許文献２）、特開２００１−７６０４７号公報（特許文献３）、特開２００３−３０３８６号公報（特許文献４）がある。
【０００５】
【特許文献１】特開２００２−１０９２３５号公報
【特許文献２】特開２００１−２８２７５０号公報
【特許文献３】特開２００１−７６０４７号公報
【特許文献４】特開２００３−３０３８６号公報
【発明の開示】
【発明が解決しようとする課題】
【０００６】
しかしながら、上記従来のウェブを利用したサービスでは、特定の銘柄の値動き及びニュースは証券会社のサイトにアクセスして個別にチェックする必要があり、カレンダー等のスケジュール管理画面を参照しながら、特定の銘柄のニュースを提供すると共に、当該銘柄の取引をタイミングよく容易に実現できるものとなっていないという問題点があった。
【０００７】
本発明は上記実情に鑑みて為されたもので、スケジュール管理画面で特定の銘柄のニュース、当該銘柄の売買を行う適正なタイミングを知らせ、更に売買の注文を容易に行うことができる有価証券情報配信システムを提供することを目的とする。
【課題を解決するための手段】
【０００８】
上記従来例の問題点を解決するための本発明は、クライアント端末からのアクセスにより有価証券情報を提供する情報提供サーバを備えた有価証券情報配信システムであって、情報提供サーバは、顧客が保有する保有銘柄、顧客が登録した登録銘柄に関連するニュース情報を記憶する抽出ニュース情報データベースと、顧客毎に保有銘柄及びその売り買いのタイミングとなる条件内容、登録銘柄及びその買いのタイミングとなる条件内容を記憶する顧客別スケジュール表示設定データベースと、顧客別にスケジュール表示画面に表示する情報を記憶する顧客別スケジュール表示情報データベースと、配信されたニュース情報について顧客の保有銘柄、登録銘柄に関連するものを抽出して前記抽出ニュース情報データベースに記憶するニュース抽出手段と、ニュース情報データベースに記憶されたニュース情報について、顧客別スケジュール表示設定データベースの顧客毎に設定された銘柄に関連するニュース情報を顧客別スケジュール表示情報データベースに顧客毎に日付の情報、銘柄の情報と共に記憶し、顧客の保有銘柄、登録銘柄の時価情報の入力を受けると、顧客別スケジュール表示設定データベースに設定された条件内容に銘柄の時価情報が適合するか否かを判断し、条件内容に適合する場合には、日付の情報、条件内容に適合したことを示す情報、条件内容に適合した銘柄の情報及び売り買いのタイミングを示す情報を顧客別スケジュール表示情報データベースに記憶する表示判断手段と、クライアント端末からカレンダー画面表示の指示が入力されると、指示のあった顧客のスケジュール表示画面において、顧客別スケジュール表示情報データベースにニュース情報が記憶されている場合には、カレンダー枠内の該当する日付に銘柄の情報を表示すると共に、カレンダー枠外に日付の情報、銘柄の情報とニュース情報の内容を一覧表示し、顧客別スケジュール表示情報データベースに日付の情報、条件内容に適合したことを示す情報、条件内容に適合した銘柄の情報及び売り買いのタイミングを示す情報が記憶されている場合には、カレンダー枠内の日付に銘柄の情報及び売り買いのタイミングを示す情報を表示すると共に、カレンダー枠外に日付の情報、銘柄の情報、条件内容に適合したことを示す情報を一覧表示する画面を生成する画面生成手段とを有することを特徴とする。
【０００９】
本発明は、上記有価証券情報配信システムにおいて、情報提供サーバにおける画面生成手段が、スケジュール表示画面においてカレンダー枠内に表示させる売りのタイミングを示す情報又はそれに対応する銘柄の情報を売りの取引画面にリンクさせ、カレンダー枠内に表示させる買いのタイミングを示す情報又はそれに対応する銘柄の情報を買いの取引画面にリンクさせ、当該売りのタイミングを示す情報又はそれに対応する銘柄の情報が選択されると売りの取引画面に移行させ、当該買いのタイミングを示す情報又はそれに対応する銘柄の情報が選択されると買いの取引画面に移行させることを特徴とする。
【００１０】
本発明は、上記有価証券情報配信システムにおいて、情報提供サーバにおける画面生成手段が、スケジュール表示画面においてカレンダー枠内に表示させる売り買いのタイミングを示す情報が付されていない銘柄の情報を当該銘柄の個別株式情報を表示する画面にリンクさせ、売り買いのタイミングを示す情報が付されていない銘柄の情報が選択されると当該銘柄の個別株式情報を表示する画面に移行させることを特徴とする。
【００１１】
本発明は、上記有価証券情報配信システムにおいて、情報提供サーバにおける表示判断手段が、ニュース情報を顧客別スケジュール表示情報データベースに記憶する際に、ニュース情報を示すマーク情報も記憶し、条件内容に適合したことを示す情報を顧客別スケジュール表示情報データベースに記憶する際に、条件の種類を示すマーク情報も記憶し、画面生成手段が、スケジュール表示画面において銘柄の情報と共に対応するマーク情報も表示する画面を生成することを特徴とする。
【００１２】
本発明は、上記有価証券情報配信システムにおいて、顧客別スケジュール表示設定データベースには、条件内容として、売りの仮指値が設定され、表示判断手段が、顧客の保有銘柄についての時価情報が顧客別スケジュール表示設定データベースに設定された売りの仮指値以上となった場合に、当該銘柄の情報、当該銘柄が売りの仮指値以上となったことを示す情報、日付の情報及び売りのタイミングを示す情報を顧客別スケジュール表示情報データベースに記憶することを特徴とする。
【００１３】
本発明は、上記有価証券情報配信システムにおいて、顧客別スケジュール表示設定データベースには、条件内容として、買いの仮指値が設定され、表示判断手段が、顧客の保有銘柄又は登録銘柄についての時価情報が顧客別スケジュール表示設定データベースに設定された買いの仮指値以下となった場合に、当該銘柄の情報、当該銘柄が買いの仮指値以下となったことを示す情報、日付の情報及び買いのタイミングを示す情報を顧客別スケジュール表示情報データベースに記憶することを特徴とする。
【００１４】
本発明は、上記有価証券情報配信システムにおいて、顧客別スケジュール表示設定データベースには、条件内容として、特定期間におけるマイナス方向の売りの変動率が設定され、表示判断手段が、顧客の保有銘柄についての時価情報が前記顧客別スケジュール表示設定データベースに設定された特定期間におけるマイナス方向の売りの変動率以上となった場合に、当該銘柄の情報、当該銘柄が売りの変動率以上となったことを示す情報、日付の情報及び売りのタイミングを示す情報を顧客別スケジュール表示情報データベースに記憶することを特徴とする。
【００１５】
本発明は、上記有価証券情報配信システムにおいて、顧客別スケジュール表示設定データベースには、条件内容として、特定期間におけるプラス方向の買いの変動率が設定され、表示判断手段が、顧客の保有銘柄又は登録銘柄についての時価情報が顧客別スケジュール表示設定データベースに設定された特定期間におけるプラス方向の買いの変動率以上となった場合に、当該銘柄の情報、当該銘柄が買いの変動率以上となったことを示す情報、日付の情報及び買いのタイミングを示す情報を顧客別スケジュール表示情報データベースに記憶することを特徴とする。
【００１６】
本発明は、上記有価証券情報配信システムにおいて、顧客別スケジュール表示設定データベースには、条件内容として、テクニカル指標が設定され、表示判断手段が、顧客の保有銘柄又は登録銘柄についての顧客別スケジュール表示設定データベースに設定されたテクニカル指標に基づいて、当該テクニカル指標に適合した銘柄の情報、当該テクニカル指標に適合したことを示す情報、日付の情報及び売り買いのタイミングを示す情報を顧客別スケジュール表示情報データベースに記憶することを特徴とする。
【００１７】
本発明は、上記有価証券情報配信システムにおいて、表示判断手段が、ニュース情報が企業のＩＲ情報における配当日、決算発表日の予定を知らせるものであるとき、当該予定の日を日付の情報として顧客別スケジュール表示情報データベースに記憶することを特徴とする。
【００１８】
本発明は、上記有価証券情報配信システムにおいて、画面生成手段が生成するカレンダー画面が、証券取引のサイトにユーザがログインした後に株式情報を表示させる画面で、一つのタブとして表示されるものであることを特徴とする。
【発明の効果】
【００１９】
本発明によれば、クライアント端末からのアクセスにより有価証券情報を提供する情報提供サーバを備えた有価証券情報配信システムであって、情報提供サーバは、顧客が保有する保有銘柄、顧客が登録した登録銘柄に関連するニュース情報を記憶する抽出ニュース情報データベースと、顧客毎に保有銘柄及びその売り買いのタイミングとなる条件内容、登録銘柄及びその買いのタイミングとなる条件内容を記憶する顧客別スケジュール表示設定データベースと、顧客別にスケジュール表示画面に表示する情報を記憶する顧客別スケジュール表示情報データベースと、配信されたニュース情報について顧客の保有銘柄、登録銘柄に関連するものを抽出して前記抽出ニュース情報データベースに記憶するニュース抽出手段と、ニュース情報データベースに記憶されたニュース情報について、顧客別スケジュール表示設定データベースの顧客毎に設定された銘柄に関連するニュース情報を顧客別スケジュール表示情報データベースに顧客毎に日付の情報、銘柄の情報と共に記憶し、顧客の保有銘柄、登録銘柄の時価情報の入力を受けると、顧客別スケジュール表示設定データベースに設定された条件内容に銘柄の時価情報が適合するか否かを判断し、条件内容に適合する場合には、日付の情報、条件内容に適合したことを示す情報、条件内容に適合した銘柄の情報及び売り買いのタイミングを示す情報を顧客別スケジュール表示情報データベースに記憶する表示判断手段と、クライアント端末からカレンダー画面表示の指示が入力されると、指示のあった顧客のスケジュール表示画面において、顧客別スケジュール表示情報データベースにニュース情報が記憶されている場合には、カレンダー枠内の該当する日付に銘柄の情報を表示すると共に、カレンダー枠外に日付の情報、銘柄の情報とニュース情報の内容を一覧表示し、顧客別スケジュール表示情報データベースに日付の情報、条件内容に適合したことを示す情報、条件内容に適合した銘柄の情報及び売り買いのタイミングを示す情報が記憶されている場合には、カレンダー枠内の日付に銘柄の情報及び売り買いのタイミングを示す情報を表示すると共に、カレンダー枠外に日付の情報、銘柄の情報、条件内容に適合したことを示す情報を一覧表示する画面を生成する画面生成手段とを有する有価証券情報配信システムとしているので、スケジュール画面で顧客の保有銘柄、登録銘柄のニュース情報、当該銘柄の売買の適正なタイミングを知らせることができる効果がある。
【００２０】
本発明によれば、情報提供サーバにおける画面生成手段が、スケジュール表示画面においてカレンダー枠内に表示させる売りのタイミングを示す情報又はそれに対応する銘柄の情報を売りの取引画面にリンクさせ、カレンダー枠内に表示させる買いのタイミングを示す情報又はそれに対応する銘柄の情報を買いの取引画面にリンクさせ、当該売りのタイミングを示す情報又はそれに対応する銘柄の情報が選択されると売りの取引画面に移行させ、当該買いのタイミングを示す情報又はそれに対応する銘柄の情報が選択されると買いの取引画面に移行させる上記有価証券情報配信システムとしているので、売買のタイミングを認識して直ちに売買の注文を容易に行うことができる効果がある。
【発明を実施するための最良の形態】
【００２１】
［発明の概要］
本発明の実施の形態について図面を参照しながら説明する。
本発明の実施の形態に係る有価証券情報配信システムは、顧客の保有銘柄・登録銘柄について、関連するニュース情報が配信されれば、顧客のカレンダー画面において配信日にカレンダー枠内に銘柄名を表示させてカレンダー枠外にニュース情報を表示させると共に、株価の時価の変動に対して設定された条件に適合すると、条件適合の日にカレンダー枠内に銘柄名を表示させてカレンダー枠外に条件適合の内容を表示させるようにしているので、スケジュール画面で特定の銘柄のニュース情報、当該銘柄の売買を行う適正なタイミングを知らせることができる。
【００２２】
また、本発明の実施の形態に係る有価証券情報配信システムは、特定の条件適合の場合に、売り又は買いのタイミングであるかをカレンダー枠内の銘柄名と共に「売」「買」のマークを付加して表示し、更に当該銘柄名等がクリックされると、対応する売り又は買いの注文画面を表示させるようにしているので、売買のタイミングを認識して直ちに売買の注文を容易に行うことができる。
【００２３】
［本システムの構成：図１］
本発明の実施の形態に係る有価証券情報配信システム（本システム）の構成について図１を参照しながら説明する。図１は、本発明の実施の形態に係る有価証券情報配信システムの構成ブロック図である。
本システムは、図１に示すように、情報提供サーバ１と、有価証券情報管理サーバ２と、インターネット等のネットワークを介して情報提供サーバ１に接続する複数のクライアント端末３とを基本的に有している。
【００２４】
本システムにおいて、有価証券情報管理サーバ２が顧客別の保有銘柄・登録銘柄に関するデータを蓄積し、情報提供サーバ１が当該保有銘柄・登録銘柄について、顧客別のスケジュール表示情報に基づいて関連するニュース、銘柄に関する情報を統合してカレンダー画面を生成してクライアント端末３に表示出力し、更にクライアント端末３に発注・売却画面を生成して表示出力するものである。
【００２５】
［カレンダー画面：図２］
クライアント端末３に表示されるカレンダー画面を図２に示す。図２は、本発明の実施の形態に係るカレンダー画面の表示例を示す概略図である。
カレンダー画面は、図２に示すように、カレンダーの枠下にニュース情報等が表示され、カレンダー枠内に当該ニュース情報等に対応する銘柄名（または銘柄名の略称）が表示されるようになっている。図２の表示内容の詳細については後述する。
【００２６】
［本システムの各部］
次に、本システムの各部について具体的に説明する。
［情報提供サーバ１］
情報提供サーバ１は、ニュースデータベース（ＤＢ）１１と、銘柄コード対応ＤＢ１２と、ニュース抽出処理部１３と、抽出ニュース情報ＤＢ１４と、顧客別スケジュール表示設定ＤＢ１５と、表示判断処理部１６と、顧客別スケジュール表示情報ＤＢ１７と、画面生成部１８とを有している。
【００２７】
尚、情報提供サーバ１は、コンピュータによって構成されているため、ハードウェア資源としては、例えば、ＣＰＵ等の制御部、揮発性のワークメモリのメインメモリ、不揮発性のハードディスク等の記憶部、更にネットワーク、外部装置に接続するためのインタフェース部を備えている。
従って、上記各ＤＢを統合して一つの記憶部で記憶するようにしてもよいし、処理部、生成部を記憶部に記憶された処理プログラムを制御部がメインメモリにロードして動作可能な処理手段として実現するようにしてもよい。
【００２８】
［ニュースＤＢ１１：図３］
ニュースＤＢ１１は、外部から配信された企業ＩＲ（Investor Relations）情報、ニュース配信情報（これらを「ニュース情報」とする）を記憶する。
ニュースＤＢ１１は、図３に示すように、ニュース番号（Ｎｏ．）に対応してニュース情報を時系列に記憶する。尚、図示していないが、ニュース番号には、ニュース情報配信の日時の情報も対応付けられて記憶される。図３は、ニュースＤＢの概略内容を示す図である。
【００２９】
［銘柄コード対応ＤＢ１２：図４］
銘柄コード対応ＤＢ１２は、図４に示すように、ニュースＤＢ１１からユーザがニュース情報の抽出を希望する銘柄（保有銘柄・登録銘柄）について、銘柄コードと銘柄名を記憶している。図４は、銘柄コード対応ＤＢの概略内容を示す図である。
【００３０】
［ニュース抽出処理部１３］
ニュース抽出処理部１３は、銘柄コード対応ＤＢ１２に設定された銘柄名がニュースＤＢ１１のニュース情報に含まれているかを検索し、銘柄コード対応ＤＢ１２に設定された銘柄名を含むニュース情報を抽出して、銘柄コード、銘柄名、ニュース番号、ニュース情報、ニュース配信の日時の情報を対応付けて抽出ニュース情報ＤＢ１４に出力する。
【００３１】
尚、ニュース情報が企業のＩＲ情報における配当日、決算発表日の予定を知らせるものであるときは、カレンダー画面には予定日を表示することになるため、ニュース抽出処理部１３は、配当日、決算発表日の通知も含めて、ニュース配信の日時の情報と共に配当日等の行事予定日を抽出ニュース情報ＤＢ１４に出力する。具体的には、ニュース抽出処理部１３は、ニュース情報において基準日（本日）以降の日付が含まれる場合、その日を配当日、決算発表日の予定日として、すなわちカレンダーに表示されうるニュースの情報として抽出ニュース情報ＤＢ１４に抽出する。
【００３２】
ニュース抽出処理部１３の動作タイミングは、ニュースＤＢ１１にニュース配信情報又は企業ＩＲ情報が入力される度に、起動してニュース抽出処理を行うようにしてもよいし、予め設定された時刻に起動してニュースＤＢ１１に新たに蓄積されたニュース配信情報等を検索してニュース抽出処理を行うようにしてもよい。
【００３３】
［抽出ニュース情報ＤＢ１４］
抽出ニュース情報ＤＢ１４は、ニュース抽出処理部１３から出力された情報（ユーザが抽出を希望する保有銘柄・登録銘柄に関する情報）を記憶する。つまり、抽出ニュース情報ＤＢ１４は、抽出された銘柄コード、銘柄名、ニュース番号、ニュース情報（ニュース内容）、ニュース配信の日時の情報を対応付けて記憶している。
【００３４】
［顧客別スケジュール表示設定ＤＢ１５：図８］
顧客別スケジュール表示設定ＤＢ１５は、図８に示すように、顧客（顧客コード）別に銘柄名、売りの仮指値、買いの仮指値、売りの仮指値で売りのタイミングを表示させる売りチェック、買いの仮指値で買いのタイミングを表示させる買いチェック、売り変動率、買い変動率、変動率を確認する期間として第１の設定期間及び第２の設定期間、売りの変動率で売りのタイミングを表示させる売りチェック、買いの変動率で買いのタイミングを表示させる買いチェック、設定日が設定されている。図８は、顧客別スケジュール表示設定ＤＢの概略内容を示す図である。
【００３５】
例えば、図８の顧客ＸのＡＡ証券を参照すると、売りの仮指値が６００円で、買いの仮指値が５００円となっており、それぞれの仮指値に売りチェック、買いチェックが入っているから、ＡＡ証券の株価が６００円以上となったら売りのタイミングであることをカレンダー画面に表示し、また、ＡＡ証券の株価が５００円以下となったら買いのタイミングであることをカレンダー画面に表示することになる。
【００３６】
また、変動率について、買いのチェックが入っていることから、ＡＡ証券の株価の変動率が、基準日の値を基準にして、例えば、３日間の期間で３％以上変動した場合、若しくは、３日の期間で１日、または１日の中で一時的に３％以上に変動した場合、買いのタイミングであることを基準日又は変動したその日にカレンダー画面に表示することになる。期間は、現在の日を基準日とし、その日から遡って３日の間ということになる。
尚、図８では、第１と第２の期間設定情報を設けているが、一つの期間設定情報を設けてもよいし、更に、３つ以上の複数の期間設定情報を設けるようにしてもよい。
【００３７】
［表示判断処理部１６］
表示判断処理部１６は、顧客別スケジュール表示設定ＤＢ１５に登録されている顧客毎の銘柄について抽出ニュース情報ＤＢ１４にニュース情報が蓄積されているか否かを判断し、顧客の銘柄に対応するニュース情報が蓄積されていると、顧客名（顧客コード）に対応付けてニュース配信日時の情報（または行事予定日）、銘柄名、ニュース情報を顧客別スケジュール表示情報ＤＢ１７に設定する。
【００３８】
また、表示判断処理部１６は、顧客の保有銘柄・登録銘柄の株式情報を有価証券情報管理サーバ２の顧客別保有銘柄・登録銘柄ＤＢ２３から読み込み、顧客別スケジュール表示設定ＤＢ１５に設定された条件、またはユーザによって設定されたテクニカル指標によって、顧客別スケジュール表示情報ＤＢ１７に変動のあった銘柄名（銘柄の略称でもよい）又は銘柄コード、更に変動の内容をカレンダー画面に取り込むよう指示する。
【００３９】
テクニカル指標として、ＲＣＩ（Rank Correlation Index）、ＲＳＩ（Relative Strength Index）、ＭＡＣＤ（Moving Average Convergence/Divergence）、２５日乖離率、７５日乖離率、一目均衡表、サイコロジカル、ゴールデン／デッドクロス、７５日線形回帰トレンド、ストキャスティクス、ボリンジャーバンド等がある。そして、これら指標について売り買いの条件を設定することで、売り買いのタイミングが明確になるものである。
表示判断処理部１６における判断処理の詳細は後述する。
【００４０】
［顧客別スケジュール表示情報ＤＢ１７：図７］
顧客別スケジュール表示情報ＤＢ１７は、図７に示すように、表示判断処理部１６で判断されたカレンダー画面に表示すべき情報について、顧客名（顧客コードでもよい）、ニュース配信日時の情報、銘柄名（銘柄の略称でもよい）、ニュース情報を対応付けて記憶する。図７は、顧客別スケジュール表示情報ＤＢの概略内容を示す図である。
【００４１】
また、顧客別スケジュール表示設定ＤＢ１５に設定された条件に適合する場合には、条件に適合したことを示す情報がニュース情報に代えて記憶され、更に、図示していないが、「売」（売り）、「買」（買い）のタイミングを示す情報も記憶される。このタイミングを示す情報が図２のカレンダー枠内において表示される該当銘柄名と「売」「買」の文字である。
加えて、ニュース情報を示すマークの情報、条件の種類を示すマークの情報も顧客別スケジュール表示情報ＤＢ１７に記憶させ、そのマークの情報を基に図２の四角又は星印のマークを表示させるようにしてもよい。
よって、顧客別スケジュール表示情報ＤＢ１７に記憶された顧客毎の情報が顧客毎のカレンダー画面に表示されることになる。
【００４２】
［画面生成部１８］
画面生成部１８は、顧客別スケジュール表示情報ＤＢ１７の情報に基づいてカレンダー画面を生成するカレンダー画面生成部１８ａと、クライアント端末３から銘柄選択の操作によって発注・売却画面を生成する発注・売却画面生成部１８ｂを備え、生成された画面はクライアント端末３の表示部に表示出力される。カレンダー画面の詳細については後述する。
【００４３】
［有価証券情報管理サーバ２］
有価証券情報管理サーバ２は、銘柄別時価情報ＤＢ２１と、顧客別保有銘柄・登録銘柄抽出部２２と、顧客別保有銘柄・登録銘柄ＤＢ２３とを有している。
有価証券情報管理サーバ２は、証券取引所等の外部の市場から銘柄別の時価情報を入力して銘柄別時価情報ＤＢ２１に記憶し、顧客別保有銘柄・登録銘柄抽出部２２が顧客別の保有銘柄・登録銘柄の時価情報を抽出し、顧客別保有銘柄・登録銘柄ＤＢ２３に記憶する。
【００４４】
［銘柄別時価情報ＤＢ２１：図５］
銘柄別時価情報ＤＢ２１は、図５に示すように、証券取引所等の市場から提供された銘柄コード、銘柄名、時価の情報を対応付けて記憶している。図５は、銘柄別時価情報ＤＢの概略内容を示す図である。
【００４５】
［顧客別保有銘柄・登録銘柄抽出部２２］
顧客別保有銘柄・登録銘柄抽出部２２は、顧客別保有銘柄・登録銘柄ＤＢ２３に記憶された顧客が保有する保有銘柄又は顧客が注目する銘柄として登録した登録銘柄について、銘柄別時価情報ＤＢ２１を銘柄コード又は銘柄名で検索し、該当する銘柄の時価を抽出し、その時価で顧客別保有銘柄・登録銘柄ＤＢ２３を更新する。
【００４６】
また、顧客別保有銘柄・登録銘柄抽出部２２は、顧客別保有銘柄・登録銘柄ＤＢ２３を更新した場合、更新データを顧客別保有銘柄・登録銘柄ＤＢ２３から読み込んで情報提供サーバ１の表示判断処理部１６に送信出力する。または、情報提供サーバ１の表示判断処理部１６は、必要とする顧客の保有銘柄・登録銘柄について顧客別保有銘柄・登録銘柄ＤＢ２３にアクセスして更新データを読み込んで入力するようにしてもよい。
【００４７】
［顧客別保有銘柄・登録銘柄ＤＢ２３：図６］
顧客別保有銘柄・登録銘柄ＤＢ２３は、図６に示すように、顧客（顧客コード）毎に銘柄（保有銘柄又は登録銘柄）名、証券コード、現在値、更に保有銘柄であれば株数、約定日、受渡日、平均購入価格を記憶する。図６は、顧客別保有銘柄・登録銘柄ＤＢの概略内容を示す図である。
【００４８】
顧客別保有銘柄・登録銘柄ＤＢ２３に対する銘柄の設定は、クライアント端末３から情報提供サーバ１を介して有価証券情報管理サーバ２にアクセスして行うようにしてもよいし、クライアント端末３のユーザが情報提供のサービスを受ける申し込みをしたときに、情報提供サーバ１が有価証券情報管理サーバ２に顧客情報の顧客別保有銘柄・登録銘柄ＤＢ２３への書き込みを指示し、有価証券情報管理サーバ２の制御部が顧客情報のＤＢから保有銘柄について顧客コード、銘柄名、証券コード、株数、約定日、受渡日、平均購入価格を設定するようにしてもよい。
【００４９】
［クライアント端末３］
クライアント端末３は、ネットワークに接続可能なコンピュータで構成され、インターネット等のネットワークを介して情報提供サーバ１にアクセスし、カレンダー画面表示指示の操作により表示部にカレンダー画面を表示させる。
尚、クライアント端末３として、ＰＤＡ（Personal Digital Assistant）、携帯電話機、ＰＨＳ電話機等の端末であってもよい。
【００５０】
［カレンダー画面の詳細］
次に、カレンダー画面の詳細について説明する。
カレンダー画面は、図２に示すように、１ヶ月のカレンダー枠内に顧客の保有銘柄・登録銘柄についてニュース情報が存在する場合は、黒塗り四角のマークに銘柄名（証券コード又は略称でもよい）を発表日又は行事予定日に表示し、更にニュース情報の内容は、カレンダー枠下に日付順でマークと共に一覧表示する。
【００５１】
また、ニュースではなく、顧客別スケジュール表示設定ＤＢ１５に設定されている仮指値、変動率の条件に適合するように株価が変動すると、仮指値の場合は黒塗り星印のマークに銘柄名、変動率の場合は白抜き星印のマークに銘柄名をカレンダー枠内の該当日に表示し、更に変動の内容は、カレンダー枠下にマークと共に表示される。
【００５２】
尚、ニュース情報の場合は、四角のマーク又は四角のマークと銘柄名を第１の色で、仮指値の場合は、星印のマーク又は星印のマークと銘柄名を第２の色で、変動率の場合は、星印のマーク又は星印のマークと銘柄名を第３の色で、色分けして表示する。マークと色分け表示により、ニュース情報、仮指値、変動率等の表示内容の種類を容易に認識できる。
【００５３】
カレンダー枠内に表示された「売」「買」が付されていない銘柄名をクライアント端末３のマウスでクリックすると、当該銘柄の日中足チャート、複数気配値等を参照可能な個別株式情報を表示する。
つまり、「売」「買」が付されていない銘柄名等は、個別銘柄情報を提供するサイトにリンクしている。
【００５４】
また、カレンダー枠内に表示された「売」「買」が付されている銘柄名又は「売」「買」の文字をクライアント端末３のマウスでクリックすると、「売」の場合は売り注文の画面を、「買」の場合は買い注文の画面を表示する。
つまり、「売」が付されている銘柄名等は、当該銘柄の売り注文の画面にリンクさせ、「買」が付されている銘柄名等は、当該銘柄の買い注文の画面にリンクさせている。
この場合でも銘柄名のところをクリックすると、個別銘柄情報を提供するサイトにリンクさせてもよい。
【００５５】
［表示判断処理部での処理内容］
情報提供サーバ１における表示判断処理部１６は、抽出ニュース情報ＤＢ１４の更新を監視し、更に顧客別保有銘柄・登録銘柄ＤＢ２３が更新された場合の有価証券情報管理サーバ２から出力される更新情報を入力し、顧客別のスケジュール表示情報を作成する処理を行うものである。
【００５６】
抽出ニュース情報の更新の場合は、表示判断処理部１６は、顧客別スケジュール表示設定ＤＢ１５の顧客の銘柄に関連するものであるか否かを判定し、関連するものであれば、顧客別スケジュール表示情報ＤＢ１７に顧客毎のニュース発表月日（日時）、銘柄名又は証券コード、ニュース情報の内容が記憶される。
【００５７】
顧客別保有銘柄・登録銘柄ＤＢ２３の更新にともなって有価証券情報管理サーバ２から更新情報（顧客の保有銘柄・登録銘柄の時価情報）が入力されると、表示判断処理部１６は、当該銘柄の時価が、顧客別スケジュール表示設定ＤＢ１５に設定された仮指値の条件、期間における変動率の条件に適合するか否かを判定し、条件に適合すれば、顧客毎に当該日付、銘柄名、条件適合の内容をニュース情報同様に顧客別スケジュール表示情報ＤＢ１７に設定する。
【００５８】
条件の内容によっては、表示判断処理部１６は、顧客別スケジュール表示情報ＤＢ１７に表示色の情報を持たせ、カレンダー画面にニュース情報、仮指値の条件、変動率の条件による銘柄名の表示をマークと色分けで認識させることができる。
更に、表示判断処理部１６は、これら表示される銘柄名等について個別銘柄情報を提供するリンク先、当該銘柄の売買の注文画面へのリンク先の情報を関連付けて設定する。
【００５９】
［スケジュール表示情報生成処理１：図９］
上記表示判断処理部１６における抽出ニュース情報からスケジュール表示情報を生成する処理について具体的に図９を参照しながら説明する。図９は、抽出ニュース情報からスケジュール表示情報生成のフローチャートである。
【００６０】
表示判断処理部１６は、図９に示すように、抽出ニュース情報ＤＢ１４を監視し、更新されたか否かを判定する（Ｓ１１）。更新されていなければ（Ｎｏの場合）、当該判定処理を繰り返す。
更新されていると（Ｙｅｓの場合）、顧客別スケジュール表示設定ＤＢ１５を参照し、更新されたニュース情報の銘柄名が登録されている顧客（顧客名又は顧客コード）を抽出する（Ｓ１２）。
【００６１】
そして、抽出した顧客について、顧客別スケジュール表示情報ＤＢ１７に当該銘柄名のニュース情報を配信日時（又は予定日）の情報と共に設定する（Ｓ１３）。
このように、顧客別スケジュール表示情報ＤＢ１７に設定された情報に基づいてカレンダー画面生成部１８ａがカレンダー画面を生成する。
【００６２】
［スケジュール表示情報生成処理２：図１０］
また、上記表示判断処理部１６における時価情報から条件適合するスケジュール表示情報を生成する処理について具体的に図１０を参照しながら説明する。図１０は、時価情報から条件適合するスケジュール表示情報生成のフローチャートである。
【００６３】
表示判断処理部１６は、図１０に示すように、有価証券情報管理サーバ２より更新情報が入力されたか否かを判定する（Ｓ２１）。更新情報の入力がなければ（Ｎｏの場合）、当該判定処理を繰り返す。
【００６４】
更新情報の入力があれば（Ｙｅｓの場合）、顧客別スケジュール表示設定ＤＢ１５を参照し、指値、変動率等の条件に適合するか否かを判定する（Ｓ２２）。条件に適合しなければ（Ｎｏの場合）、処理を終了する。
【００６５】
条件に適合すれば（Ｙｅｓの場合）、条件に適合した日付、銘柄名、その内容を顧客別スケジュール表示情報ＤＢ１７に設定する（Ｓ２３）。
このように、顧客別スケジュール表示情報ＤＢ１７に設定された情報に基づいてカレンダー画面生成部１８ａがカレンダー画面を生成する。
【００６６】
［カレンダー画面表示部での処理内容］
カレンダー画面生成部１８ａは、顧客別スケジュール表示情報ＤＢ１７からカレンダー枠外に日付、表示の種類を示すマーク、ニュース本文、適合した条件内容を一覧表示し、日付と銘柄名からスケジュール枠内の該当する日付に銘柄名、マークを表示する。
尚、条件によるカレンダー枠外への表示内容は、表示文の定型が予め記憶されており、その定型文に条件等の数値が組み込まれたものが生成される。
また、マークは、表示されるニュース内容、条件内容等の種類に応じて予め定められており、表示の種類に対応する形状が選択されて表示されるものである。
【００６７】
［実施の形態の効果］
本システムでは、顧客の保有銘柄・登録銘柄について、関連するニュース情報が配信されれば、顧客のカレンダー画面において配信日に銘柄名を表示させてカレンダー枠外にニュース情報を表示させると共に、株価の時価の変動に対して設定された条件に適合すると、条件に適合した日に銘柄名を表示させてカレンダー枠外に条件適合内容を表示させるようにしているので、スケジュール画面で特定の銘柄のニュース情報、当該銘柄の売買を行う適正なタイミングを知らせることができる効果がある。
【００６８】
また、本システムでは、条件適合の場合に、売り又は買いのタイミングであるかを「売」「買」のマークも付加して表示し、更に当該銘柄名等がクリックされると、対応する売り又は買いの注文画面を表示させるようにしているので、売買のタイミングを認識して直ちに売買の注文を容易に行うことができる効果がある。
【００６９】
［その他］
本システムで表示されるカレンダー画面は、インターネット証券取引のサイトにログインした後の株式情報を表示させる画面で、一つのタブとして表示させるようにすると利便性が高い。
また、カレンダー画面には、ユーザの個人的なスケジュールを入力可能としてもよい。
また、本システムでは、株式情報を主に説明したが、債券であっても、ファンドであっても適用することができる。
また、本システムにおけるカレンダー画面を外国語版とし、銘柄、ニュース情報を外国のものを用いると外国のマーケットに対応できる。
【産業上の利用可能性】
【００７０】
本発明は、スケジュール管理画面で特定の銘柄のニュース、当該銘柄の売買を行う適正なタイミングを知らせ、更に売買の注文を容易に行うことができる有価証券情報配信システムに好適である。
【図面の簡単な説明】
【００７１】
【図１】本発明の実施の形態に係る有価証券情報配信システムの構成ブロック図である。
【図２】本発明の実施の形態に係るカレンダー画面の表示例を示す概略図である。
【図３】ニュースＤＢの概略内容を示す図である。
【図４】銘柄コード対応ＤＢの概略内容を示す図である。
【図５】銘柄別時価情報ＤＢの概略内容を示す図である。
【図６】顧客別保有銘柄・登録銘柄ＤＢの概略内容を示す図である。
【図７】顧客別スケジュール表示情報ＤＢの概略内容を示す図である。
【図８】顧客別スケジュール表示設定ＤＢの概略内容を示す図である。
【図９】抽出ニュース情報からスケジュール表示情報生成のフローチャートである。
【図１０】時価情報から条件適合するスケジュール表示情報生成のフローチャートである。
【符号の説明】
【００７２】
１…情報提供サーバ、  ２…有価証券情報管理サーバ、  ３…クライアント端末、  １１…ニュースＤＢ、  １２…銘柄コード対応ＤＢ、  １３…ニュース抽出処理部、  １４…抽出ニュース情報ＤＢ、  １５…顧客別スケジュール表示設定ＤＢ、  １６…表示判断処理部、  １７…顧客別スケジュール表示情報ＤＢ、  １８…画面生成部、  １８ａ…カレンダー画面生成部、  １８ｂ…発注・売却画面生成部、  ２１…銘柄別時価情報ＤＢ、  ２２…顧客別保有銘柄・登録銘柄抽出部、  ２３…顧客別保有銘柄・登録銘柄ＤＢ
【図１】
2008242890.tif 000003
【図２】
2008242890.tif 000004
【図３】
2008242890.tif 000005
【図４】
2008242890.tif 000006
【図５】
2008242890.tif 000007
【図６】
2008242890.tif 000008
【図７】
2008242890.tif 000009
【図８】
2008242890.tif 000010
【図９】
2008242890.tif 000011
【図１０】
2008242890.tif 000012